(57)【要約】【課題】アッパーケースとロアケースとの間に介在される絶縁板の組み付易に確認できるようにする。【解決手段】絶縁板１５の一面にアッパーケース１１側の第一縦バスバー１３、他面にロアケース１２側の第二縦バスバー１４を配置し、これら第一、第二縦バスバー１３、１４の端部１３ｂ、１４ｂは絶縁板１５に予め圧入あるいはモールドして互いに絶縁状態で固定されていると共に第一、第二縦バスバー１３、１４は突出させた端子１３ａ、１４ａを備え、第一、第二縦バスバー１３、１４を両面に固定した絶縁板１５を挟んでアッパーケース１１とロアケース１２とが組みつけられ、アッパーケース１１のコネクタ収容部１１ａに第一縦バスバー１３の端子１３ａを突出させると共に、ロアケース１２のコネクタ収容部１２ａに第二縦バスバー１４の端子１４ｂを突出させている。【選択図】  図２
2004201471.tif 000002
【特許請求の範囲】
【請求項１】
絶縁板の一面にアッパーケース側の第一縦バスバー、他面にロアケース側の第二縦バスバーを配置し、これら第一、第二縦バスバーの端部は上記絶縁板に予め圧入あるいはモールドして互いに絶縁状態で固定されていると共に該第一、第二縦バスバーは突出させた端子を備え、
上記第一、第二縦バスバーを両面に固定した上記絶縁板を挟んでアッパーケースとロアケースとが組みつけられ、アッパーケースのコネクタ収容部に上記第一縦バスバーの端子を突出させると共に、ロアケースのコネクタ収容部に上記第二縦バスバーの端子を突出させていることを特徴とする電気接続箱。
【請求項２】
上記絶縁板の両面には、それぞれ複数の第一縦バスバーと第二縦バスバーが並列で固定され、かつ、各第一、第二縦バスバーには間隔をかけて複数の上記端子が突出している請求項１に記載の電気接続箱。
【請求項３】
上記第一、第二縦バスバーは上記絶縁板を中心として対称形状とされ、第一、第二縦バスバーの各基板の一側より上記絶縁板への固定端部を突出させると共に該基板の他側より上記端子を突出させている請求項２に記載の電気接続箱。
【発明の詳細な説明】
【０００１】
【発明の属する技術分野】
本発明は、電気接続箱に関し、詳しくは、電気接続箱の内部に収容される絶縁板の装着忘れ防止や装着確認を容易にするものである。
【０００２】
【従来の技術】
従来、自動車に用いる電気接続箱において、内部回路を構成する方式として図７（Ａ）（Ｂ）に示すように、縦バスバー方式を採用したものが知られている。このような電気接続箱１は、ケース内に縦バスバー４を並列して収容しており、該縦バスバー４は、アッパーケース２とロアケース３とに挟持される複数の一体縦バスバー４Ｂと、上下に分割された別体縦バスバー４Ａとで構成され、該別体縦バスバー４Ａ同士の間は絶縁板５で仕切られている。
縦バスバー４は、その一端または両端に相手側コネクタと接続するためのオス端子４Ａ−１、４Ｂ−１が形成され、組み付けに際しては、アッパーケース２およびロアケース３の上下面に形成されたコネクタ収容部２ａ、３ａの一方または両方に突出配置される。
【０００３】
電気接続箱１の組み立てに際しては、図８に示すように、予め縦バスバー４をアッパーケース２とロアケース３の両方または一方に装着しておき、別体縦バスバー４Ａの分断個所に対応する部分に絶縁板５を介在させた後、アッパーケース２とロアケース３とを嵌合させている。その際、アッパーケース２とロアケース３とは、両者の外周壁に設けた係止爪６ａと受片６ｂとからなるロック手段６によって固定するようにしている。
【０００４】
【発明が解決しようとする課題】
しかしながら、上記電気接続箱１の組付構造は、上下の別体縦バスバー４Ａを絶縁するための絶縁板５を別体縦バスバー４Ａ間に介在させた後、アッパーケース２とロアケース３とをロック手段６で互いに固定するため、アッパーケース２とロアケース３との間に絶縁板５を組み付け忘れても気づかない恐れがある。
また、アッパーケース２とロアケース３とを固定した後に、絶縁板５の組み付け忘れがないかどうかを確認しようにも、ケースの外からは確認しずらい問題があった。
【０００５】
本発明は上記問題に鑑みてなされたもので、アッパーケースとロアケースとの間に介在される絶縁板の組み付け忘れを容易に確認できるようにすることを課題としている。
【０００６】
【課題を解決するための手段】
上記課題を解決するため、本発明では、絶縁板の一面にアッパーケース側の第一縦バスバー、他面にロアケース側の第二縦バスバーを配置し、これら第一、第二縦バスバーの端部は上記絶縁板に予め圧入あるいはモールドして互いに絶縁状態で固定されていると共に該第一、第二縦バスバーは突出させた端子を備え、
上記第一、第二縦バスバーを両面に固定した上記絶縁板を挟んでアッパーケースとロアケースとが組みつけられ、アッパーケースのコネクタ収容部に上記第一縦バスバーの端子を突出させると共に、ロアケースのコネクタ収容部に上記第二縦バスバーの端子を突出させていることを特徴とする電気接続箱を提供している。
【０００７】
上記構成によれば、上記第一縦バスバーと上記第二縦バスバーとを予め上記絶縁板に圧入やモールド等によって絶縁状態で固定しているので、上記電気接続箱を組み立てた後には、第一縦バスバーと第二縦バスバーの端子がコネクタ収容部に突出しているか否かを確認するだけで、絶縁板の有無を確認することができる。
また、第一縦バスバーおよび第二縦バスバーと絶縁板とが圧入あるいはモールドにより一体的に設けられることで、夫々を個別の部品としていた場合に比べ、組付け作業を忘れ難くなる利点もある。
【０００８】
さらに、上記絶縁板の両面には、それぞれ複数の第一縦バスバーと第二縦バスバーが並列で固定され、かつ、各第一、第二縦バスバーには間隔をかけて複数の上記端子が突出している。
【０００９】
上記構成とすると、複数の第一縦バスバーと複数の第二縦バスバーと絶縁板とを一体化させて一部品とすることができるので、上記アッパーケースとロアケースとの間に組み付ける部品点数が大幅に低減し、組付工数を削減することができると共に、部品管理も容易となる。
【００１０】
上記第一、第二縦バスバーは上記絶縁板を中心として対称形状とされ、第一、第二縦バスバーの各基板の一側より上記絶縁板への固定端部を突出させると共に該基板の他側より上記端子を突出させている。
このように、上記第一、第二縦バスバーは上記絶縁板を中心として対称形状とすることで、上記端子を突出させるコネクタ収容部をアッパーケース側とロアケース側とで対称とすることができ、電気接続箱の上下を間違えしても良いようにすることができる。
【００１１】
【発明の実施の形態】
本発明の実施形態を図面を参照して説明する。
図１乃至図５は第１実施形態を示す。
電気接続箱１０は、合成樹脂製のアッパーケース１１と、ロアケース１２と、導電性金属板を櫛状に打ち抜き加工した一体縦バスバー１６と、アッパーケース１１側にのみ配置される第一縦バスバー１３と、ロアケース１２側にのみ配置される第二縦バスバー１４と、第一縦バスバー１３と第二縦バスバー１４との間を仕切り、かつ、予め第一縦バスバー１３および第二縦バスバー１４に一体化された合成樹脂製の絶縁板１５とを備えている。
【００１２】
アッパーケース１１は、その上面に３つのコネクタ収容部１１ａを設けていると共に、該コネクタ収容部１１ａの側面にコネクタロック部１１ｂを備え、底面に端子挿通孔１１ｃを複数穿設している。また、ケース１１の合わせ面側より、第一縦バスバー１３および一体縦バスバー１６を個別に収容する溝部１１ｅを設けて、隣接する縦バスバー１３、１６の絶縁を図っていると共に、ケース側面には係止爪１１ｄを突出している。
【００１３】
ロアケース１２も同様に、その下面に３つのコネクタ収容部１２ａを設けていると共に、該コネクタ収容部１２ａの側面にコネクタロック部１２ｂを備え、底面に端子挿通孔１２ｃを複数穿設している。また、ケース１２の合わせ面側より、第二縦バスバー１４および一体縦バスバー１６を個別に収容する溝部１２ｅを設けて、隣接する縦バスバー１４、１６の絶縁を図っていると共に、ケース側面に被係止孔１２ｄを設けている。
【００１４】
第一縦バスバー１３は、導電性金属板を打抜加工して形成され、図２に示すように、短冊状の基部１３ｃの一側に複数の雄端子１３ａを間隔をあけて突出していると共に、他側に固定用の端部１３ｂを間隔をあけて突出しており、アッパーケース１１のみに装着される。
第二縦バスバー１４は第一縦バスバー１３と同一形状で、短冊状の基部１４ｃの一側に複数の雄端子１４ａを間隔をあけて突出していると共に、他側に固定用の端部１４ｂを間隔をあけて突出しており、ロアケース１２のみに装着される。
【００１５】
絶縁板１５は、細長い角柱状の合成樹脂からなり、図３（Ｂ）に示すように、上下面に圧入溝１５ａを間隔をあけて３つ並べたものを４列設けている。
なお、圧入溝１５ａは第一・第二縦バスバー１３、１４の端部１３ｂ、１４ｂの外形よりも若干狭くしている。
【００１６】
図３（Ａ）に示すように、第一縦バスバー１３の端部１３ｂを絶縁板１５の上面側の圧入溝１５ａに圧入すると共に、第二縦バスバー１４の端部１４ｂを絶縁板１５の下面側の圧入溝に圧入することで、予め、第一・第二縦バスバー１３、１４を絶縁板１５に保持させる。
つまり、絶縁板１５の上面側に４つの第一縦バスバー１３を並列して圧入固定し、下面側に４つの第二縦バスバー１４を並列して圧入固定し、計８つの第一・第二縦バスバー１３、１４が絶縁板１５より対称形状で突出した状態として、上下の第一縦バスバー１３と第二縦バスバー１４とを絶縁板１５を介して絶縁している。
【００１７】
一体縦バスバー１６は、導電性金属板を打抜加工して形成され、図４に示すように、基部１４ｃの両側に複数の雄端子１４ａを間隔をあけて突出してアッパーケース１１とロアケース１２の上下間にわたって装着される。また、基部１４ｃの所要位置には圧接端子１４ｂを１つ突出し、該圧接端子１４ｂに単芯線１７を圧接して隣接する縦バスバー１３、１４、１６と電気接続を図っている。
【００１８】
次に、電気接続箱１０の組付手順について説明する。
先ず、アッパーケース１１とロアケース１２のいずれか一方の所要位置の溝１１ｅ、１２ｅに一体縦バスバー１６を挿入し、雄端子１６ａを端子挿通孔１１ｃ、１２ｃに貫通させてコネクタ収容部１１ａ、１２ａに突出させる。
続いて、予め絶縁板１５に固定された第二縦バスバー１４を、ロアケース１２の所要位置の溝１２ｅに挿入し、雄端子１４ａを端子挿通孔１２ｃに貫通させてコネクタ収容部１２ａに突出させる。
【００１９】
この状態から、アッパーケース１１をロアケース１２に組み合わせると同時に、ロアケース１２に一端側の雄端子１６ａが挿入された一体縦バスバー１６の他端側の雄端子１６ａおよび第一縦バスバー１３の雄端子１３ａをアッパーケース１１の溝１１ｅに挿入し、アッパーケース１１の端子挿通孔１１ｃに貫通させてコネクタ収容部１１ａに突出させる。
【００２０】
上記構成によれば、第一・第二縦バスバー１３、１４を絶縁板１５に予め圧入固定しているので、電気接続箱１０の組立後に、第一・第二縦バスバー１３、１４の端子１３ａ、１４ａがコネクタ収容部１１ａ、１２ａに突出しているか否かを確認するだけで、絶縁板１５の有無を確認することができる。
また、第一縦バスバー１３と第二縦バスバー１４と絶縁板１５とが圧入により一体的に設けられていることで、それぞれを個別の部品としていた場合に比べ、組付作業を忘れにくくなる利点もある。
【００２１】
さらに、絶縁板１５の上下面に複数（計８つ）の第一・第二縦バスバー１３、１４を予め固定しているので、アッパーケース１１とロアケース１２との間に組み付ける部品点数が大幅に低減し、組付工数を削減できると共に、部品管理も容易とすることができる。
【００２２】
なお、第一・第二縦バスバー１３、１４を絶縁板１５に圧入固定する代わりに、第一・第二縦バスバー１３、１４の端部１３ｂ、１４ｂを樹脂モールドして、第一・第二縦バスバー１３、１４の端部１３ｂ、１４ｂが絶縁板１５に固定された一体品を形成しても好適である。
また、上記実施形態において、絶縁板１５として角柱状のものを示したが、第一・第二縦バスバー１３、１４の配置、範囲に対応して、平板状、櫛状等その形状は任意に設定可能である。
【００２３】
図６（Ａ）（Ｂ）は第２実施形態を示す。
第１実施形態との相違点は、第一縦バスバー１３’および第二縦バスバーを絶縁板１５’に係止固定している点である。
代表して第一縦バスバー１３’について説明すると、第一縦バスバー１３’は、端部１３ｂ’に係止片１３ｄ’を切り起こしていると共に、絶縁板１５’の係止溝１５ａ’には、被係止部１５ｂ’を突出している。
分断縦バスバー１３’の端部１３ｂ’を絶縁板１５の係止溝１５ａ’に挿入して係止片１３ｄ’を被係止部１５ｂ’に係止することで、分断縦バスバー１３’の抜け止めを図っている。
他の構成は第１実施形態と同様であるため説明を省略する。
【００２４】
【発明の効果】
以上の説明より明らかなように、本発明によれば、上記第一縦バスバーおよび第二縦バスバーを上記絶縁板に圧入あるいはモールド等で予め固定しているので、上記電気接続箱の組立後には、第一・第二縦バスバーの端子がコネクタ収容部に突出しているか否かを確認するだけで、絶縁板の有無を確認することができる。
また、上記第一縦バスバーと第二縦バスバーと上記絶縁板とを予め一体的に設けておくことで、それぞれ個別部品としていた場合に比べ、組付作業を忘れにくくなる利点もある。
さらに、上記絶縁板の上下面に多数の第一・第二縦バスバーを予め固定することで、上記アッパーケースとロアケースとの間に組み付ける部品点数が大幅に低減し、組付工数を削減できると共に部品管理も容易となる。
【図面の簡単な説明】
【図１】本発明の第１実施形態の電気接続箱の上面図である。
【図２】図１のＡ−Ａ線断面の分解図である。
【図３】（Ａ）は第一・第二縦バスバーを絶縁板に圧入した状態を示す図面、（Ｂ）は絶縁板の上面図である。
【図４】図１のＢ−Ｂ線断面図である。
【図５】図１のＣ−Ｃ線断面図である。
【図６】（Ａ）は第２実施形態の第一縦バスバーを絶縁板に係止前の状態を示す図面、（Ｂ）は係止後の図面である。
【図７】（Ａ）は従来の電気接続箱の断面図、（Ｂ）は縦バスバーを示す図面である。
【図８】従来のアッパーケースとロアケースの組付前の状態を示す断面図である。
【図９】従来のアッパーケースとロアケースと絶縁板との組付後の状態を示す断面図である。
【符号の説明】
１０            電気接続箱
１１            アッパーケース
１１ａ、１２ａ  コネクタ収容部
１２            ロアケース
１３            第一縦バスバー
１３ａ          雄端子
１３ｂ          端部
１４            第二縦バスバー
１４ａ          雄端子
１４ｂ          端部
１５、１５’    絶縁板
１６            一体縦バスバー
１３ｄ’        係止片
１５ｄ’        被係止部
【図１】
2004201471.tif 000003
【図２】
2004201471.tif 000004
【図３】
2004201471.tif 000005
【図４】
2004201471.tif 000006
【図５】
2004201471.tif 000007
【図６】
2004201471.tif 000008
【図７】
2004201471.tif 000009
【図８】
2004201471.tif 000010
【図９】
2004201471.tif 000011